(57)【要約】【課題】  面状ライトユニット及び表示装置において、フィルム状導光板とＬＥＤ光源との位置ずれを防止すること。【解決手段】  バックライトユニット１は、発光ダイオード素子を搭載したＬＥＤ光源Ｌと、ＬＥＤ光源Ｌを配するための複数の光源配置孔６ａが形成されていると共にＬＥＤ光源Ｌからの光を入射させて導光するフィルム状導光板６と、を備え、光源配置孔６ａの内面の少なくとも一部が、ＬＥＤ光源Ｌの２箇所以上に当接してＬＥＤ光源Ｌを支持している。そして、表示装置は、液晶表示パネルと、液晶表示パネルの裏面側に配されたバックライトユニット１と、を備えている。【選択図】  図２
2009070801.tif 000002
【特許請求の範囲】
【請求項１】
発光ダイオード素子を搭載した光源と、
前記光源を配するための複数の光源配置孔が形成されていると共に前記光源からの光を入射させて導光するフィルム状導光板と、を備え、
前記光源配置孔の内面の少なくとも一部が、前記光源の２箇所以上に当接して前記光源を支持していることを特徴とする面状ライトユニット。
【請求項２】
請求項１に記載の面状ライトユニットにおいて、
前記光源配置孔が、複数の前記光源を並べて配置可能な長孔形状とされていることを特徴とする面状ライトユニット。
【請求項３】
請求項１又は２に記載の面状ライトユニットにおいて、
前記光源配置孔に、内側に突出又は張り出して前記光源に当接する押さえ部が形成されていることを特徴とする面状ライトユニット。
【請求項４】
請求項３に記載の面状ライトユニットにおいて、
前記光源が、前面を光の出射面とした直方体状に形成され、
前記押さえ部が、前記光源の背面に当接していることを特徴とする面状ライトユニット。
【請求項５】
請求項３又は４に記載の面状ライトユニットにおいて、
前記光源が、前面を光の出射面とした直方体状に形成され、
前記押さえ部が、前記光源の側面に当接していることを特徴とする面状ライトユニット。
【請求項６】
請求項３又は４に記載の面状ライトユニットにおいて、
前記光源が、前面を光の出射面とした直方体状に形成され、
前記押さえ部が、前記光源の角部に当接していることを特徴とする面状ライトユニット。
【請求項７】
画像表示パネルと、
前記画像表示パネルの表面側又は裏面側に配された請求項１から６のいずれか一項に記載の面状ライトユニットと、を備えていることを特徴とする表示装置。
【請求項８】
請求項７に記載の表示装置において、
前記画像表示パネルが、液晶表示パネルであることを特徴とする表示装置。
【発明の詳細な説明】
【技術分野】
【０００１】
本発明は、液晶表示パネルなどを照明する面状光源に用いられる面状ライトユニット及び表示装置に関する。
【背景技術】
【０００２】
携帯電話機、ＰＤＡ、モバイルタイプＰＣ（パーソナルコンピュータ）、ＡＴＭ（現金自動預け払い機）等のディスプレイには、画像表示のための液晶表示装置が広く採用されている。この液晶表示装置には、液晶表示パネルの裏面側から光を照射して表示画面の輝度を高めるバックライトユニットが用いられている。
【０００３】
このバックライトユニットには、蛍光管やＬＥＤ等の光源からの光を導光して主面全体から液晶表示パネルに向けて出射させる導光板が用いられている。そして、従来、例えば特許文献１には、平板状の導光板の側端面に対向状態に近接して複数のＬＥＤが設置されたバックライト装置が記載されている。
【０００４】
【特許文献１】特開２００６−３１８８３０号公報（図１）
【発明の開示】
【発明が解決しようとする課題】
【０００５】
しかしながら、上記従来の技術には、以下の課題が残されている。
導光板に光を入射するＬＥＤを設置する際、導光板に対して高精度に位置決めして設置する必要があるが、ＬＥＤの実装精度や導光板の設置精度に応じて互いに位置ずれが生じてしまう不都合がある。ＬＥＤと導光板との位置ずれが生じると、導光板内への光の入射効率が悪化して輝度が低下したり指向性や輝度均一性が低下してしまう問題がある。
また、近年、最終製品の軽量化、薄型化のため、バックライトユニットの更なる薄型化が要望されており、導光板についてもシート状に薄型化されたものが検討されている。このように薄型化されたシート状導光板を採用する場合でも、ＬＥＤとの位置ずれによる光の入射効率低下が問題となる。
【０００６】
本発明は、前述の課題に鑑みてなされたもので、フィルム状導光板とＬＥＤ光源との位置ずれを防止することができる面状ライトユニット及び表示装置を提供することを目的とする。
【課題を解決するための手段】
【０００７】
本発明は、前記課題を解決するために以下の構成を採用した。すなわち、本発明の面状ライトユニットは、発光ダイオード素子を搭載した光源と、前記光源を配するための複数の光源配置孔が形成されていると共に前記光源からの光を入射させて導光するフィルム状導光板と、を備え、前記光源配置孔の内面の少なくとも一部が、前記光源の２箇所以上に当接して前記光源を支持していることを特徴とする。
【０００８】
この面状ライトユニットでは、光源配置孔の内面の少なくとも一部が、光源の２箇所以上に当接して光源を支持しているので、フィルム状で弾性を有したフィルム状導光板の光源配置孔内面によって光源が押されて光源配置孔内で位置決めされる。したがって、フィルム状導光板と光源とが高精度に位置決めされて光の入射効率を良好に維持し、輝度低下、指向性劣化及び輝度均一性の低下を防止することができる。
【０００９】
また、本発明の面状ライトユニットは、前記光源配置孔が、複数の前記光源を並べて配置可能な長孔形状とされていることを特徴とする。
一つの光源配置孔内に一つの光源を配置する場合、光源配置孔周囲の弾性が不足する場合があり、この場合、光源配置孔の光源に当接する部分が障害になって光源を組み込み難い場合もある。しかしながら、上記本発明の面状ライトユニットでは、複数の光源を配するために光源配置孔を長孔形状化したことで光源配置孔の周囲が撓み易くなり、光源配置孔周囲の弾性が増える。したがって、光源配置孔を広げ易くなり、光源を容易に組み込むことができることから作業性が向上する。
【００１０】
また、本発明の面状ライトユニットは、前記光源配置孔に、内側に突出又は張り出して前記光源に当接する押さえ部が形成されていることを特徴とする。すなわち、この面状ライトユニットでは、光源配置孔に、内側に突出又は張り出して光源に当接する押さえ部が形成されているので、フィルム状で弾性を有した押さえ部によって光源が光源配置孔の所定方向に押されて光源配置孔内で位置決めされる。
【００１１】
さらに、本発明の面状ライトユニットは、前記光源が、前面を光の出射面とした直方体状に形成され、前記押さえ部が、前記光源の背面に当接していることを特徴とする。すなわち、この面状ライトユニットでは、押さえ部が光源の背面に当接しているので、光の出射軸に対する前後方向について高精度に位置決めでき、光源の光の出射面である前面が光源配置孔の内面に密接状態とされて良好な入射効率を得ることができる。
【００１２】
また、本発明の面状ライトユニットは、前記光源が、前面を光の出射面とした直方体状に形成され、前記押さえ部が、前記光源の側面に当接していることを特徴とする。すなわち、この面状ライトユニットでは、押さえ部が光源の側面に当接しているので、光の出射軸に対して直交する横方向について高精度に位置決めすることができる。
【００１３】
また、本発明の面状ライトユニットは、前記光源が、前面を光の出射面とした直方体状に形成され、前記押さえ部が、前記光源の角部に当接していることを特徴とする。すなわち、この面状ライトユニットでは、押さえ部が光源の角部に当接しているので、光の出射軸に対する前後方向及び直交方向の両方向について高精度に位置決めすることができる。
【００１４】
本発明の表示装置は、画像表示パネルと、前記画像表示パネルの表面側又は裏面側に配された上記本発明の面状ライトユニットと、を備えていることを特徴とする。
この表示装置では、上記本発明の面状ライトユニットを備えているので、フィルム状導光板に対して高精度に位置決めされた光源により薄型で高い輝度及び輝度均一性等が得られる。
【００１５】
また、本発明の表示装置は、前記画像表示パネルが、液晶表示パネルであることを特徴とする。すなわち、この表示装置では、液晶表示パネルを用いた液晶表示装置であるので、より薄型軽量化及び低コスト化を図ることができる。
【発明の効果】
【００１６】
本発明によれば、以下の効果を奏する。
すなわち、本発明に係る面状ライトユニットによれば、光源配置孔の内面の少なくとも一部が、光源の２箇所以上に当接して光源を支持しているので、フィルム状で弾性を有したフィルム状導光板の光源配置孔内面によって光源が押されて光源配置孔内で高精度に位置決めされる。これにより、光の入射効率を良好に維持し、輝度低下、指向性劣化及び輝度均一性の低下を防止することができる。したがって、この本発明の面状ライトユニットを備えた表示装置では、薄型で良好な輝度特性を実現することができる。
【発明を実施するための最良の形態】
【００１７】
以下、本発明に係る面状ライトユニット及び表示装置の第１実施形態を、図１から図４に基づいて説明する。なお、以下の説明に用いる各図面では、各部材を認識可能な大きさとするために縮尺を適宜変更している。
【００１８】
本実施形態におけるバックライトユニット（面状ライトユニット）１は、図１に示すように、液晶表示パネル（画像表示パネル）２を有する表示装置３と操作キー４とを備えた携帯電話機５に用いられるバックライトユニットである。このバックライトユニット１は、図１及び図２に示すように、フィルム状導光板６を備えたフィルム状導光板ユニット７と、フィルム状導光板６に光を照射して導光させる発光ダイオード素子（図示略）を搭載したＬＥＤ光源（光源）Ｌと、を備えている。
なお、本実施形態では、液晶表示パネル２の画面側及びバックライトユニット１の光出射面側を表面側又は上面側として記載している。
【００１９】
上記フィルム状導光板ユニット７は、フィルム状導光板６と、該フィルム状導光板６の外周部に両面テープ（図示略）で貼り付けられフィルム状導光板６よりも高い剛性を有してフィルム状導光板６を支持する枠状のシート状ホルダー８と、フィルム状導光板６上に積層されると共にシート状ホルダー８内に嵌め込まれた拡散シート９、第１プリズムシート１０Ａ及び第２プリズムシート１０Ｂと、シート状ホルダー８の上面に外周部が貼り付けられ第２プリズムシート１０Ｂ上に積層されるリムシート１１と、フィルム状導光板６の下面に反射シートテープ１２で貼り付けられる反射シート１３と、を備えている。
【００２０】
上記フィルム状導光板６は、透光性の材料で構成されその側端部から入射されたＬＥＤ光源Ｌからの光を導光すると共に光路変換してその主面（本実施形態では上面）から照明対象物に対して面状の照明光を出射する可撓性を有した薄型の導光板である。
なお、フィルム状導光板６の厚さは、例えば１２５μｍ程度である。
このフィルム状導光板６は、例えば基材層（図示略）と、該基材層の上下面に成膜され光路変換を行う複数の微細光学形状（凸状ドット等）が表面に形成された樹脂層（図示略）と、で構成されている。
【００２１】
上記基材層及び樹脂層は、例えば透明なポリカーボネイト樹脂やアクリル樹脂等で形成されている。基材層は、例えばロール成形方法などを用いて平坦なシート状にシート成形されている。また、樹脂層は、型を使い紫外光（ＵＶ光）で硬化する例えばアクリル系、ウレタン系、ウレタンアクリレート系、エポキシアクリレート系などの有機光反応効果樹脂の光硬化樹脂を用いて微細光学形状を賦形する紫外線（ＵＶ）硬化樹脂成形によって作製されている。
【００２２】
上記成形で大判に作製されたものを、プレス切断やカッター切断することで、所定の形状のフィルム状導光板６を得ている。
上記フィルム状導光板６には、ＬＥＤ光源Ｌを配するための複数の光源配置孔６ａが側端部の所定位置に形成されている。これら光源配置孔６ａ内には、内側に突出又は張り出してＬＥＤ光源Ｌに当接する押さえ部６ｂが形成されている。すなわち、光源配置孔６ａの内面は、ＬＥＤ光源Ｌの前面と背面との２箇所に別方向から当接してＬＥＤ光源Ｌを支持している。
【００２３】
なお、本実施形態の押さえ部６ｂは、ＬＥＤ光源Ｌの背面に当接した先端が円弧状の凸部となっている。
また、各シートを組み込む際に用いる位置決め孔６ｃが、光源配置孔６ａ近傍の所定位置に形成されている。なお、フィルム状導光板６においてＬＥＤ光源Ｌを配する位置は、上記側端部に限らず、例えば中央部に光源配置孔６ａを設けて設置しても構わない。
【００２４】
上記シート状ホルダー８は、大判のＰＥＴ（ポリエチレンテレフタレート）シート又はＳＵＳシート等から所定枠形状をプレス切断による打ち抜きによって作製され、可撓性を有している。
なお、上記シート状ホルダー８の厚さは、嵌め込まれる光学シートである拡散シート９、第１プリズムシート１０Ａ及び第２プリズムシート１０Ｂの総厚と略同一に設定されている。
上記フィルム状導光板ユニット７は、フィルム状導光板６及びシート状ホルダー８が、操作キー４の下方まで延在している。
【００２５】
上記拡散シート９、第１プリズムシート１０Ａ及び第２プリズムシート１０Ｂの外周部には、それぞれシート側凸部１４が形成されている。また、上記シート状ホルダー８の内周部には、シート側凸部１４に対応したホルダー側凹部８ａが形成されている。これらのシート側凸部１４は、拡散シート９、第１プリズムシート１０Ａ及び第２プリズムシート１０Ｂの積層順で長さ方向にずらして配されており、ホルダー側凹部８ａは、これらずらして配されたシート側凸部１４が嵌り込むように幅が規定されている。
【００２６】
なお、上記拡散シート９、第１プリズムシート１０Ａ及び第２プリズムシート１０Ｂの外周部に、それぞれシート側凹部を形成すると共に、上記シート状ホルダー８の内周部に、シート側凹部に対応したホルダー側凸部を形成しても構わない。
上記拡散シート９は、例えば、アクリル樹脂やポリカーボネイト樹脂などの透明樹脂にシリカ粒子などを分散させたシートである。
【００２７】
上記第１プリズムシート１０Ａは、拡散シート９上に配され、上記第２プリズムシート１０Ｂは、第１プリズムシート１０Ａ上に配されている。第１プリズムシート１０Ａ及び第２プリズムシート１０Ｂは、拡散シート９からの光を上面側に集光するための透明シート状の部材であり、平行な複数の稜線を有するプリズム部を上面側に有している。また、第１プリズムシート１０Ａは、ＬＥＤ光源Ｌの光軸に対して、プリズム部の稜線がねじれの位置に設定され、特に、上方への高い指向性が得られる方向として、ＬＥＤ光源Ｌの光軸に直交する方向と平行に設定される。また、第２プリズムシート１０Ｂは、ＬＥＤ光源Ｌの光軸に対して、プリズム部の稜線が平行に設定されている。すなわち、第１プリズムシート１０Ａと第２プリズムシート１０Ｂとは、互いのプリズム部の稜線がねじれの位置に配され、平面視で互いに稜線が直交している。
【００２８】
上記反射シート１３は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。
上記リムシート１１は、液晶表示パネル２とバックライトユニット１との接合に用いる両面テープであって、遮光及び反射の機能を有している。
【００２９】
上記ＬＥＤ光源Ｌは、フィルム状導光板６に開けられた複数の光源配置孔６ａ内に配置され光源用の実装基板（図示略）に実装された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
【００３０】
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。また、ＬＥＤ光源Ｌは、光の出射面を前面Ｆにした直方体状に形成されている。
【００３１】
上記バックライトユニット１の組立は、以下のように行う。まず、台座となる専用治具（図示略）上にシート状ホルダー８を固定する。この際、位置決め孔６ｃに専用治具のピンを挿通して位置決めが行われる。この状態で、シート状ホルダー８の下面にフィルム状導光板６を両面テープで貼り付ける。次に、フィルム状導光板６の下面に反射シート１３を反射シートテープ１２で貼り付ける。この後、専用治具を取り外し、ＬＥＤ光源Ｌが実装されたフレキシブルプリント基板を組み込む。この際、各ＬＥＤ光源Ｌは、フィルム状導光板６の各光源配置孔６ａ内に配され、押さえ部６ｂによって背面が押さえて前面Ｆがフィルム状導光板６に当接した状態で設置される。
【００３２】
一方、リムシート１１の下面に第２プリズムシート１０Ｂ、第１プリズムシート１０Ａ及び拡散シート９をこの順に貼り付けて組み込んだユニットを作製しておく。この後、このユニットを上記シート状ホルダー８の上面から組み込んで第２プリズムシート１０Ｂ、第１プリズムシート１０Ａ及び拡散シート９をシート状ホルダー８内に設置すると共に、上からリムシート１１で貼り付ける。この際、上記各シートのシート側凸部１４をシート状ホルダー８のホルダー側凹部８ａ内に配して位置決めを行う。このようにしてバックライトユニット１が作製される。
【００３３】
本実施形態の表示装置３は、携帯電話機５の液晶ディスプレイに適用される液晶表示装置であって、液晶表示パネル（画像表示パネル）２と、液晶表示パネル２の裏面側に配された上記バックライトユニット１と、を備えている。
また、本実施形態の携帯電話機５は、上記表示装置３と、少なくとも一部が透過又は半透明の操作キー４及びこの操作キー４の下方に設置されたスイッチング機構１５を有するキー部１６と、を備えている。
【００３４】
上記液晶表示パネル２は、透過型又は半透過型の液晶表示パネルが採用される。例えば、半透過型の液晶表示パネル２の場合、透明電極、配向膜及び偏光板をそれぞれ有する上基板と下基板との間隙にＴＮ液晶やＳＴＮ液晶等の液晶をシール材で封止したパネル本体と、その下面側に光透過性と光反射性の両機能を持った半透過反射板と、を備えたものである。
なお、上記液晶表示パネル２は、上記リムシート１１を介してシート状ホルダー８上に貼り付けられる。また、シート状ホルダー８は、表示装置３の筐体（図示略）の内面に固定用両面テープ１７で貼り付けられる。
【００３５】
上記操作キー４は、可撓性の透過又は半透明の樹脂で形成されたキーであって、電話番号等を入力するための番号や文字が表示され、複数でキーパッド１８を構成している。
上記スイッチング機構１５は、例えば操作キー４の下方に配されたスイッチ基板１９と、この上に設置されたタクトスイッチ２０とで構成され、対応する操作キー４が押圧された際にフィルム状導光板６を介してタクトスイッチ２０が押されてスイッチ操作可能とされている。
なお、キーパッド１８は、図示しない両面テープ等でシート状ホルダー８上に貼り付けられる。
【００３６】
このように本実施形態のバックライトユニット１では、光源配置孔６ａの内面の一部が、ＬＥＤ光源Ｌに２箇所で当接して支持しているので、フィルム状で弾性を有したフィルム状導光板６の光源配置孔６ａ内面によってＬＥＤ光源Ｌが押されて光源配置孔６ａ内で位置決めされる。特に、光源配置孔６ａに、内側に突出してＬＥＤ光源Ｌに当接する押さえ部６ｂが形成されているので、フィルム状で弾性を有した押さえ部６ｂによってＬＥＤ光源Ｌが光源配置孔６ａの所定方向に押されて光源配置孔６ａ内で位置決めされる。さらに、押さえ部６ｂがＬＥＤ光源Ｌの背面を押圧状態に当接しているので、光の出射軸に対する前後方向について高精度に位置決めでき、ＬＥＤ光源Ｌの光の出射面である前面Ｆが光源配置孔６ａの内面に密接状態とされて良好な入射効率を得ることができる。
【００３７】
したがって、このバックライトユニット１を備えた表示装置３及び携帯電話機５では、薄型であると共に、フィルム状導光板６とＬＥＤ光源Ｌとが高精度に位置決めされて光の入射効率を良好に維持し、輝度低下、指向性劣化及び輝度均一性の低下を防止することができる。
【００３８】
次に、本発明に係る面状ライトユニット及び表示装置の第２〜第６実施形態について、図５の（ａ）〜（ｅ）を参照して以下に説明する。なお、以下の各実施形態の説明において、上記実施形態において説明した同一の構成要素には同一の符号を付し、その説明は省略する。
【００３９】
第２実施形態と第１実施形態との異なる点は、第１実施形態では、押さえ部６ｂが、ＬＥＤ光源Ｌの背面に当接して押圧するように光源配置孔６ａ内に形成されているのに対し、第２実施形態では、図５の（ａ）に示すように、一対の押さえ部２６ｂが、ＬＥＤ光源Ｌの側面にそれぞれ当接して押圧するように光源配置孔２６ａ内に形成されている点である。すなわち、第２実施形態の光源配置孔２６ａの内面は、ＬＥＤ光源Ｌの３箇所に当接してこれを支持している。このように、第２実施形態では、押さえ部２６ｂがＬＥＤ光源Ｌの側面に当接しているので、光の出射軸に対して直交する横方向について高精度に位置決めすることができる。
【００４０】
第３実施形態と第１実施形態との異なる点は、第１実施形態では、一つの押さえ部６ｂがＬＥＤ光源Ｌの背面に当接して光源配置孔６ａ内に形成されているのに対し、第３実施形態では、図５の（ｂ）に示すように、ＬＥＤ光源Ｌの背面及び両側面に当接する３つの押さえ部３６ｂが光源配置孔３６ａ内に形成されている点である。すなわち、第２実施形態の光源配置孔３６ａの内面は、ＬＥＤ光源Ｌの４箇所に当接してこれを支持している。このように、第３実施形態では、３つの押さえ部３６ｂによりＬＥＤ光源Ｌの前後左右で高精度に位置決めすることができる。
【００４１】
第４実施形態と第３実施形態との異なる点は、第３実施形態では、３つの押さえ部３６ｂが円弧状に先端が形成されているのに対し、第４実施形態では、図５の（ｃ）に示すように、３つの押さえ部４６ｂが台形状に形成されている点である。すなわち、この第４実施形態では、第３実施形態と同様に、３つの押さえ部４６ｂによりＬＥＤ光源Ｌの前後左右で高精度に位置決めすることができる。
【００４２】
第５実施形態と第３実施形態との異なる点は、第３実施形態では、３つの押さえ部３６ｂでＬＥＤ光源Ｌの前後左右で位置決めして前面Ｆを光源配置孔３６ａの内面に当接させているのに対し、第５実施形態では、図５の（ｄ）に示すように、ＬＥＤ光源Ｌの前面Ｆ側において光源配置孔５６ａの２つの角部が面取りされて内側に張り出した２つの押さえ部５６ｂが形成され、これら押さえ部５６ｂがＬＥＤ光源Ｌの前面Ｆ側の角部に当接されている点である。すなわち、この第５実施形態では、押さえ部５６ｂがＬＥＤ光源Ｌの角部に当接しているので、光の出射軸に対する前後方向及び直交方向の両方向について高精度に位置決めすることができる。特に、押さえ部５６ｂをＬＥＤ光源Ｌの前面Ｆ側の角部に当接させ、前面Ｆとフィルム状導光板６との間に一定の距離を開けることができるので、フィルム状導光板６に対して一定距離離した方が指向性の点で好ましいＬＥＤ光源Ｌに好適である。
【００４３】
第６実施形態と第５実施形態との異なる点は、第５実施形態では、光源配置孔５６ａの２つの角部が面取りされて内側に張り出した２つの押さえ部５６ｂでＬＥＤ光源Ｌの角部を押さえて位置決めしているのに対し、第６実施形態では、図５の（ｅ）に示すように、光源配置孔６６ａの四隅から内側に矩形状に突出した４つの押さえ部６６ｂでＬＥＤ光源Ｌの前面及び背面における４つの角部近傍を押さえて位置決めしている点である。すなわち、この第６実施形態では、４つの押さえ部６６ｂでＬＥＤ光源Ｌの前後方向をフィルム状導光板６からそれぞれ一定距離離して位置決めすることができる。
【００４４】
次に、本発明に係る面状ライトユニット及び表示装置の第７から第９実施形態について、図６から図９を参照して以下に説明する。
【００４５】
第７実施形態と第１実施形態との異なる点は、第１実施形態では、光源配置孔６ａ内に一つのＬＥＤ光源Ｌが配置されて一つの押さえ部６ｂで位置決めしているのに対し、第７実施形態では、図６に示すように、フィルム状導光板７６の光源配置孔７６ａが、２つのＬＥＤ光源Ｌを所定間隔で並べて配置可能な長孔形状とされ、内側に各ＬＥＤ光源Ｌに対応して２つの押さえ部７６ｂが形成されている点である。
【００４６】
第１実施形態のように、一つの光源配置孔６ａ内に一つのＬＥＤ光源Ｌを配置する場合、押さえ部６ｂの弾性が不足する場合があり、この場合、押さえ部６ｂが障害になってＬＥＤ光源Ｌを組み込み難い場合もある。しかしながら、第７実施形態では、２つのＬＥＤ光源Ｌを配するために光源配置孔７６ａを長孔形状化したことで、図７の（ａ）に示すように、光源配置孔７６ａの周囲が撓み易くなり、光源配置孔７６ａの周囲及び押さえ部７６ｂの弾性が増える。したがって、光源配置孔７６ａを広げ易くなり、図７の（ｂ）に示すように、ＬＥＤ光源Ｌを容易に組み込むことができることから作業性が向上する。
【００４７】
第８実施形態と第７実施形態との異なる点は、第７実施形態では、一つの光源配置孔７６ａに２つのＬＥＤ光源Ｌを配置しているのに対し、第８実施形態では、図８の（ａ）に示すように、フィルム状導光板８６Ａの光源配置孔８６ａが、４つのＬＥＤ光源Ｌを直線状に所定間隔で並べて配置できるようにさらに長孔形状とされ、内側に各ＬＥＤ光源Ｌに対応して４つの押さえ部８６ｂが形成されている点である。
【００４８】
このように第８実施形態では、光源配置孔８６ａがさらに長孔形状とされているので、第７実施形態よりも光源配置孔８６ａが広げ易くなり、ＬＥＤ光源Ｌの組み込み作業がさらに向上する。
なお、第８実施形態の他の例としては、図８の（ｂ）に示すように、フィルム状導光板８６Ｂの両端にそれぞれ光源配置孔８６ａを設けて各光源配置孔８６ａにそれぞれ４つのＬＥＤ光源Ｌを配置したものでも構わない。この例では、フィルム状導光板８６Ｂの一方側に配したＬＥＤ光源Ｌは液晶表示パネル２用とし、他方側に配したＬＥＤ光源Ｌは操作キー４用とすることで、それぞれを個別に照明することができる。
【００４９】
第９実施形態と第８実施形態との異なる点は、第８実施形態では、押さえ部８６ｂの先端が円弧状の凸部となっているのに対し、図９の（ａ）に示すように、第９実施形態では、光源配置孔９６ａの押さえ部９６ｂが三角形状の凸部となっている点である。また、第９実施例の他の例では、図９の（ｂ）に示すように、光源配置孔１０６ａの押さえ部１０６ｂが矩形状の凸部となっている点である。これら第９実施形態の２つの例でも、第８実施形態と同様に、三角形状の押さえ部９６ｂ又は矩形状の押さえ部１０６ｂによってＬＥＤ光源Ｌの背面が押圧されて、ＬＥＤ光源Ｌを高精度に位置決めすることができる。
【００５０】
なお、本発明は上記各実施形態に限定されるものではなく、本発明の趣旨を逸脱しない範囲において種々の変更を加えることができる。
【００５１】
例えば、上述したように光源配置孔内に押さえ部を設けることが好ましいが、突出した押さえ部を特に設けず、ＬＥＤ光源のサイズに合わせて光源配置孔の孔形状を設定すると共に、ＬＥＤ光源の前面及び背面に光源配置孔の平坦な内面が当接するようにＬＥＤ光源を光源配置孔内に嵌め込むことで、光源配置孔周辺の弾性によってＬＥＤ光源を保持し、高精度に位置決めすることも可能である。
【００５２】
また、上記各実施形態では、拡散シート９を用いているが、拡散シート９を省略したバックライトユニットとしても構わない。また、２枚のプリズムシートを用いているが、１枚のプリズムシートを採用したバックライトユニットとしても構わない。
また、上記各実施形態では、画像表示パネルとして液晶表示パネル２を採用しているが、他の画像表示パネルを用いても構わない。例えば、電子ペーパーなどの画像表示パネルを採用しても良い。この場合、電子ペーパー本体の表面側にフロントライトユニットとして本発明の面状ライトユニットが設置される。
【図面の簡単な説明】
【００５３】
【図１】本発明に係る面状ライトユニット及び表示装置の第１実施形態において、携帯電話機を示す主要部の概略的な断面図である。
【図２】第１実施形態において、バックライトユニットを示す分解斜視図である。
【図３】第１実施形態において、フィルム状導光板を示す平面図である。
【図４】第１実施形態において、光源配置孔を示す拡大平面図である。
【図５】本発明に係る面状ライトユニット及び表示装置の第２〜第６実施形態において、それぞれの光源配置孔を示す拡大平面図である。
【図６】本発明に係る面状ライトユニット及び表示装置の第７実施形態において、フィルム状導光板を示す平面図である。
【図７】第７実施形態において、ＬＥＤ光源を組み込む際及び組み込んだ後の光源配置孔を示す拡大平面図である。
【図８】本発明に係る面状ライトユニット及び表示装置の第８実施形態において、２つの例のフィルム状導光板を示す平面図である。
【図９】本発明に係る面状ライトユニット及び表示装置の第９実施形態において、２つの例の光源配置孔を示す拡大平面図である。
【符号の説明】
【００５４】
１…バックライトユニット（面状ライトユニット）、２…液晶表示パネル（画像表示パネル）、３…表示装置、４…操作キー、５…携帯電話機、６，７６，８６Ａ，８６Ｂ…フィルム状導光板、６ａ、２６ａ，３６ａ，４６ａ，５６ａ，６６ａ，７６ａ，８６ａ，９６ａ…光源配置孔、６ｂ、２６ｂ，３６ｂ，４６ｂ，５６ｂ，６６ｂ，７６ｂ，８６ｂ，９６ｂ，１０６ｂ…押さえ部、７…フィルム状導光板ユニット、８…シート状ホルダー、９…拡散シート、１３…反射シート、１６…キー部、１０Ａ…第１プリズムシート、１０Ｂ…第２プリズムシート、Ｆ…ＬＥＤ光源の前面、Ｌ…ＬＥＤ光源（光源）
【図１】
2009070801.tif 000003
【図２】
2009070801.tif 000004
【図３】
2009070801.tif 000005
【図４】
2009070801.tif 000006
【図５】
2009070801.tif 000007
【図６】
2009070801.tif 000008
【図７】
2009070801.tif 000009
【図８】
2009070801.tif 000010
【図９】
2009070801.tif 000011